(57)【要約】【課題】それぞれの吸込具での掃除動作が安定して行え、かつ軽量で集塵性能を向上させた掃除機用吸込具を提供する。【解決手段】掃除機本体（図示せず）に内蔵された電動送風機（図示せず）による吸引風で回転し被掃除面上の塵埃を掻き上げる回転ブラシ２０を有する第１吸込具１１と、前記第１吸込具１１に着脱自在で被掃除面上の塵埃を吸引する機能を有する第２吸込具１０とを備えたもので、第１吸込具１１に第２吸込具１０を着脱自在に接続して、それぞれの吸込具を用いた掃除動作が安定して行え、また第１吸込具１１に電動動送風機の吸引風で回転する回転ブラシ２０を設けているので回転ブラシ２０を駆動するモーター等の別部品を必要としないので第１吸込具１１を軽量化でき、且つ絨毯のゴミなども回転ブラシ２０で掻き出すので、集塵性能が向上できる。【選択図】図４
2005334209.tif 000002
【特許請求の範囲】
【請求項１】
電気掃除機本体に内蔵された電動送風機による吸引風で回転して被掃除面上の塵埃を掻き上げる回転ブラシを有する第１吸込具と、前記第１吸込具に着脱自在で被掃除面上の塵埃を吸引する機能を有する第２吸込具とを備えた掃除機用吸込具。
【請求項２】
電気掃除機本体の電動送風機が動作中に、直接または間接的に前記電気掃除機本体と接続された第２吸込具を第１吸込具から取り外すと、前記第１吸込具の回転ブラシの回転が停止する請求項１に記載の掃除機用吸込具。
【請求項３】
電気掃除機本体の電動送風機が動作中に、直接または間接的に前記電気掃除機本体と接続された第２吸込具を第１吸込具へ装着すると、前記第１吸込具の回転ブラシが回転状態となる請求項１に記載の掃除機用吸込具。
【請求項４】
第２吸込具の上流側に設けられた開口と、第１吸込具に設けられ回転ブラシを回転自在に収納する吸込室とを備え、前記吸込室の下流側に前記開口と連通する通気口を形成した請求項１〜３のいずれか１項に記載の掃除機用吸込具。
【請求項５】
通気口と開口との接続部にベルマウス体を構成した請求項４記載の掃除機用吸込具。
【請求項６】
第２吸込具を水洗いできる材料で形成した請求項１〜５のいずれか１項に記載の掃除機用吸込具。
【請求項７】
電動送風機を内蔵し、請求項１〜６のいずれか１項に記載の掃除機用吸込具を備えた電気掃除機。
【請求項８】
第１吸込具から第２吸込具を取り外すと電動送風機による吸引風の強さが変化するようにした請求項７記載の電気掃除機。
【請求項９】
第１吸込具から第２吸込具を取り外すと電動送風機による吸引風が上昇するようにした請求項７に記載の電気掃除機。
【請求項１０】
第１吸込具から第２吸込具を取り外すと電動送風機による吸引風が低下するようにした請求項７に記載の電気掃除機。
【発明の詳細な説明】
【技術分野】
【０００１】
本発明は、２つの吸込具からなる掃除機用吸込具及びこれを用いた電気掃除機に関するものである。
【背景技術】
【０００２】
従来の掃除機用吸込具について、図６を用いて説明する。
【０００３】
図６において、掃除機用吸込具２００は、電気掃除機（図示せず）に連通する延長管２１３の先端部に上下方向の回動及び回転方向の回動を可能にするボールジョイント２４０が設けられ、そのボールジョイント２４０を介して中空の第２吸込具２５０が取り付けられ、この第２吸込具２５０が第１吸込具２１０の吸込口（図示せず）に連通する開口部２１１ａに着脱できるように構成されている。
【０００４】
第２吸込具２５０が第１吸込具２１０に装着された状態では、延長管２１３の先端部に第１吸込具２１０が取り付けられた状態になるので、中空の第２吸込具２５０から第１吸込具２１０に通じる空気流路が形成され、第１吸込具２１０を用いた被掃除面の掃除を行うことができ、必要に応じて押圧部３２０を足で押し下げることにより、第１吸込具２１０から第２吸込具２５０を離脱させることができる。この構成は第１吸込具２１０と第２吸込具２５０とを腰を屈めることなく切り換えることができ、広い床面の掃除から、階段等の狭い場所の掃除用に簡単に切り換えることができ利便性を有している（例えば、特許文献１参照）。
【特許文献１】特開２００１−３１４３５８号公報
【発明の開示】
【発明が解決しようとする課題】
【０００５】
しかしながら、上記従来の掃除機用吸込具においては、第１吸込具２１０に床面上の塵埃を掻き上げる回転ブラシ等を有していないため、第１吸込具２１０に第２吸込具２５０を装着して使用した場合には、集塵性能が十分でないという課題を有していた。
【０００６】
また第１吸込具２１０にモーター（図示せず）等で回転駆動される回転ブラシを設けた場合は、第１吸込具２１０が重くなり使用しにくいという課題も有していた。
【０００７】
本発明は、上記従来の課題を解決するもので、第１吸込具に第２吸込具を着脱自在に接続して、それぞれの吸込具を用いた掃除動作が安定して行え、かつ軽量で集塵性能を向上させた掃除機用吸込具及びこれを用いた電気掃除機を提供することを目的とする。
【課題を解決するための手段】
【０００８】
前記従来の課題を解決するために、本発明の掃除機用吸込具は、電気掃除機本体に内蔵された電動送風機による吸引風で回転して被掃除面上の塵埃を掻き上げる回転ブラシを有する第１吸込具と、前記第１吸込具に着脱自在で被掃除面上の塵埃を吸引する機能を有する第２吸込具とを備えたもので、第１吸込具に第２吸込具を着脱自在に接続して、それぞれの吸込具を用いた掃除動作が安定して行えると共に、第１吸込具に電動動送風機の吸引風で回転する回転ブラシを設けているので回転ブラシを駆動するモーター等の別部品が不要となり、第１吸込具を軽量化でき、且つ絨毯のゴミなども回転ブラシで掻き出し集塵性能が向上できる。
【０００９】
また、本発明の電気掃除機は、電動送風機を内蔵し、請求項１〜６のいずれか１項に記載の掃除機用吸込具を備えたもので、広い床面の清掃も、家具と家具との間等の狭い床面の清掃も簡単に行なうことができる電気掃除機を提供することができる。
【発明の効果】
【００１０】
本発明の掃除機用吸込具は、第１吸込具、第２吸込具を用いた掃除動作が、簡単にしかも安定して行えると共に、第１吸込具に吸気風で回転する回転ブラシを設けているので軽量で集塵性能にも優れている。
【発明を実施するための最良の形態】
【００１１】
第１の発明は、電気掃除機本体に内蔵された電動送風機による吸引風で回転して被掃除面上の塵埃を掻き上げる回転ブラシを有する第１吸込具と、前記第１吸込具に着脱自在で被掃除面上の塵埃を吸引する機能を有する第２吸込具とを備えたもので、第１吸込具に第２吸込具を着脱自在に接続して、それぞれの吸込具を用いた掃除動作が安定して行えると共に、第１吸込具に電動動送風機の吸引風で回転する回転ブラシを設けているので回転ブラシを駆動するモーター等の別部品が不要となり、第１吸込具を軽量化でき、且つ絨毯のゴミなども回転ブラシで掻き出し集塵性能が向上できる。
【００１２】
第２の発明は、第1の発明の第２吸込具を第１吸込具から取り外すと、回転ブラシの回転が停止するもので、安全に掃除作業を行うことができる。
【００１３】
第３の発明は、第１の発明の第２吸込具を第１吸込具へ装着すると、回転ブラシが回転状態となるようにしたもので、第２吸込具を第１吸込具に装着するだけで回転ブラシが回転駆動するので、掃除作業のロスや手間がかからず効率よく掃除作業を行うことができる。
【００１４】
第４の発明は、第１〜３のいずれか1つの発明の第２吸込具の上流側に設けられた開口と、第１吸込具に設けられ回転ブラシを回転自在に収納する吸込室とを備え、前記吸込室の下流側に前記開口と連通する通気口を形成したもので、回転ブラシで掻き揚げられた塵埃が通気口を経て確実に第２吸込具に送られ、掃除作業を効率良く行なうことができる。
【００１５】
第５の発明は、第４の発明の通気口と開口との接続部にベルマウス体を構成したもので、回転ブラシの回転も効率よく行え、且つ第１吸込具と第２吸込具との連結部で発生する吸気音も小さくできる。
【００１６】
第６の発明は、第１〜５のいずれか1つの発明の第２吸込具を水洗いできる材料で形成したもので、第２吸込具が丸ごと洗えるので、常に清潔に維持することができるものである。
【００１７】
第７の発明は、電動送風機を内蔵し、請求項１〜６のいずれか１項に記載の掃除機用吸込具を備えたもので、広い床面の清掃も、家具と家具との間等の狭い床面の清掃も簡単に行なうことができる電気掃除機を提供することができる。
【００１８】
第８の発明は、第７の発明の第１吸込具から第２吸込具を取り外すと電動送風機による吸引風の強さが変化するようにしたもので、第１吸込具に第２吸込具を取り付けた状態で使用するときと、第２吸込具のみで掃除するときのそれぞれの状態に最適な吸引風で掃除する事ができる。
【００１９】
第９の発明は、第７の発明の第１吸込具から第２吸込具を取り外すと電動送風機による吸引風が上昇するようにしたもので、第２吸込具のみで使用する時に強い吸い込み力で隙間などの集塵性能を向上させることができる。
【００２０】
第１０の発明は、第７の発明の第１吸込具から第２吸込具を取り外すと電動送風機による吸引風が低下するようにしたもので、第２吸込具のみで掃除する時に静かに掃除作業が行える。
【００２１】
以下、本発明の実施の形態について、図面を参照しながら説明する。なお、この実施の形態によってこの発明が限定されるものではない。
【００２２】
（実施の形態１）
以下、本発明の第１の実施の形態における掃除機用吸込具について図１〜図５を用いて説明する。
【００２３】
図１は、本発明の電気掃除機用吸込具およびそれを接続した床移動型の電気掃除機の全体斜視図である。
【００２４】
図において、電気掃除機１は、先端に掃除機用吸込具３を着脱可能に装着され、他端が手元ハンドル（手元操作筒）４に連結される延長管２と、手元ハンドル４から延出しホース継ぎ手５を介して掃除機本体７に接続されるホース６とを有し、前記掃除機本体７には、電動送風機（図示せず）とこれを制御する制御部材（図示せず）が内蔵されている。
【００２５】
次に、上記掃除機用吸込具３の詳細について、図１、図２を用いて説明する。
【００２６】
掃除機用吸込具３は、図２（ａ）、（ｂ）に示すように、前記延長管２に連結するための連結管（連結部）９に回動連結部（回動連結手段）８を介して吸気ヘッド３０が接続された第２吸込具１０を第１吸込具１１に着脱自在に装着して構成されている。
【００２７】
第１吸込具１１に対する第２吸込具１０の着脱は、第１吸込具１１に設けられた操作レバー１３を押し下げることにより第２吸込具１０を把持する保持具１２の把持状態が解放されて第２吸込具１０を第１吸込具１１から離脱させることができ、第２吸込具１０を用いて狭い場所の掃除ができる。また、保持具１２内に第２吸込具１０を載せて軽く押圧することにより第２吸込具１０は第１吸込具１１に装着され、第１吸込具１１を用いて被掃除面の掃除を効率よく行なうことができる。
【００２８】
上記第２吸込具１０は、図３（ａ）、（ｂ）に示すように、第１吸込具１１への装着方向面となる下側面は床面への傷つきを防ぐ目的で起毛布（起毛体）１４が貼着され、かつ下面吸気口１５が開口している。また、先端側には後述する第１吸込具１１の吸入口２３に連通する先端吸気口（開口）１６が設けられている。
【００２９】
図４において、１７は、先端吸気口１６を閉じる方向にバネ付勢された蓋体で、第２吸込具１０が第１吸込具１１に装着されている時は、バネ付勢力に抗して蓋体１７が開かれ先端吸気口１６と吸入口２３とが連通し、又、第２吸込具１０が第１吸込具１１から離脱している状態では、図５に示すように先端吸気口１６はバネ付勢された蓋体１７によって下面側の一部を残して閉じられる。
【００３０】
また第２吸込具１０には、掃除機本体７に内蔵された制御手段に電気的に接続されるスイッチ部材１８が設けられ、第２吸込具１０を第１吸込具１１に装着しているか取り外しているかを検出し、その検出結果に応じて、制御手段により電動送風機を制御し掃除機本体７の吸気風を変化させるようにしている。
【００３１】
上記第１吸込具１１には、回転ブラシ２０が回転自在に設けられている。回転ブラシ２０の回転軸２０ｂには、ブラシやブレードなどからなる掻き揚体２０ａが設けられ、回転ブラシ２０を掃除機本体７で生成される吸気風によって回転駆動し、絨毯等から塵埃を掻き出す機能を備えている。
【００３２】
第１吸込具１１は、前記回転ブラシ２０を収容した横長の吸入口２３を形成した幅広の吸込室２４と、その中央部分から後方に突出する走行部２５とを設けて、平面形状がＴの字状に形成され、図１に示すように、上面側に走行部２５の後方端から吸込室２４にかけて第２吸込具収納凹部２６が形成されている。第２吸込具収納凹部２６内の前方側には前記吸込室２４に連通する通気口２７が開口されており、この通気口２７には、吸い込み室２４の一部分を構成すると共になめらかな誘い形状のベルマウス体３１が設けられている。
【００３３】
第２吸込具収納凹部２６に第２吸込具１０を装着すると、第２吸込具１０に形成された先端吸気口１６の蓋体１７が開き、前記通気口２７と先端吸気口１６との間が連通し、掃除機本体７への空気流路が形成される。前記吸込室２４の前部には空気取入口１７を設けている。空気取入口１７と通気口２７とを結ぶ直線Ｌは回転ブラシ２０の回転中心より変位して構成し、吸気風により回転ブラシ２０の回転力を得られる様に構成している。
【００３４】
図４は、第１吸込具１１に第２吸込具１０を装着した状態を示す断面図で、第１吸込具１１に第２吸込具１０が装着されると、第２吸込具収納凹部２６内の前方側から後方側に向けて突出し、先端吸気口開閉手段となる開閉操作リブ２８が第２吸込具１０の先端吸気口１６をバネ付勢によって部分的に閉じていた蓋体１７を回動させ、図示するようにバネ付勢に抗して蓋体１７を開き、先端吸気口１６を全開状態にして、吸入口２３から連結管９に至る空気流路を形成する。また、第２吸込具１０の下面吸気口１５は第２吸込具収納凹部２６の底面によって塞がれるので、第２吸込具１０を第１吸込具１１に装着した状態では、吸入口２３からの吸気のみとなり、第１吸込具１１による吸塵能力が損なわれることがない。
【００３５】
第１吸込具１１に設けられた操作レバー１３を下方に押し下げる（足先で踏む）と、第２吸込具１０を第１吸込具１１から離脱させることができる。第２吸込具１０を第１吸込具１１から取り外すと、図５に示すように、先端吸気口１６に設けられた蓋体１７は前記開閉操作リブ２８による押圧がなくなるので、バネ付勢によって蓋体１７は先端吸気口１６を閉じる。このとき、蓋体１７の上下方向寸法を先端吸気口１６の開口高さ寸法より小さくしておくことにより、先端吸気口１６の下方を空けた状態で先端吸気口１６を部分的に閉じた状態が得られる。また、下面吸気口１５は開放状態になるので、先端吸気口１６の下方と複数の下面吸気口１５から連結管９に至る空気流路が形成され、第２吸込具１０による集塵機能が得られる。
【００３６】
前述したように、第２吸込具１０には吸気ヘッド３０と連結管９との間を左右方向に回動自在に連結する回動連結部８が設けられており、図１、２に示すように、第２吸込具１０が第１吸込具１１に装着された状態では、連結管９に延長管２を介して連結された手元ハンドル４の上げ下げ操作に応じて、連結管９は回動連結部８に対し上下回動し、又、手元ハンドル４を回動させる動き、即ち第１吸込具１１の進路方向を左右いずれかの方向に変更するハンドル操作がなされるときには、進路方向に手元ハンドル４を回動させる動きが自然になされるので、回動連結部８に回動力が加わると、第１吸込具１１の後方側に回動連結部８があるため、軸の回動方向に第１吸込具１１が回動する動きが働き、スムーズに第１吸込具１１の進路変更がなされる。
【００３７】
第２吸込具１０を第１吸込具１１に取り付けた状態では、幅広の第１吸込具１１により一般的な電気掃除機と同様に被掃除面の掃除を効率よく行なうことができる、すなわち、掃除機本体７の吸引風で前記回転ブラシ２０が回転し床面や絨毯にあるゴミを掻き取ることができ集塵性能が向上する。また第１吸込具１１に設けた回転ブラシ２０は、吸引風で回転駆動するものなので、回転ブラシ２０を駆動するモーター等が不要となり、第１吸込具１１を軽量化することができる。
【００３８】
次に、第１吸込具１１が入らないような狭い場所や、階段などを掃除する場合は、必要に応じて操作レバー１３を足踏みすると、腰を屈めることなく第１吸込具１１から第２吸込具１０を離脱させ、小型の第２吸込具１０を用いた掃除ができるので、別部品の先端ノズル（図示せず）等を付け替える面倒な作業は解消される。また、第２吸込具１０を離脱させた第１吸込具１１は、被掃除面にあるので、任意に、腰を屈めることなくその第１吸込具１１に第２吸込具１０を押し入れると即座に床掃除に取りかかることができる。
【００３９】
第２吸込具１０の先端吸気口１６は、前述したように第１吸込具１１からの離脱時に下側面側を残して蓋体１７によって閉じられるので先端吸気口１６の開口面積が縮小する結果、吸気流速が増加し、掃除面に近い側で開口するので、第２吸込具１０は先端側からの集塵効果も得られ、より広範囲の掃除が可能となる。尚、先端吸気口１６は蓋体１７により開口面積全体を閉じるように構成して下面吸気口１５からの吸気能力を増加させるようにしても良い。
【００４０】
以上のように、本実施の形態によれば、第１吸込具１１が、第２吸込具１０を介して掃除機本体７に連通しているので、第２吸込具１０を第１吸込具１１に取り付けて、回転ブラシ２０を回転させながら掃除している時に、万一、第２吸込具１０を第１吸込具１１から取り外しても、吸引風が第１吸込具１１に作用しなくなって、回転ブラシ２０が瞬時に停止し安全である。
【００４１】
逆に、第２吸込具１０のみで掃除をしている時に、その第２吸込具１０を第１吸込具１１に取り付けると、直ちに、吸引風が第１吸込具１１に作用し、回転ブラシ２０が回転し、絨毯などの掃除を即開始することができ、掃除作業のロスや手間がかからず非常に使用勝手が良いものである。
【００４２】
また、吸込室２４の後部に第２吸込具１０と連通する通気口２７を形成しているので、回転ブラシ２０で掻き揚げられた塵埃が通気口２７を経て確実に第２吸込具１０に送られ、掃除作業を効率良く行なうことができる。
【００４３】
さらに、第１吸込具１１に形成した通気口２７と第２吸込具１０に形成した先端吸気口１６との接続部に表面が滑らかなベルマウス体３１を構成したので、回転ブラシ２０の回転も効率よく行え、且つ第１吸込具１１と第２吸込具１０との連結部で発生する吸気音も小さくできる。
【００４４】
また、第２吸込具１０を樹脂材料やステンレスなどの水洗いできる材料で形成すれば、第２吸込具１０が丸ごと洗えるので、常に清潔に維持することができる。
【００４５】
また、スイッチ部材１８で、第２吸込具１０が第１吸込具１１から取り外されたことを検知した時に、電動送風機の回転数を高めて吸引風を強くすれば、第２吸込具１０に強い吸い込み力が作用し、隙間などの集塵性能を向上させることができる。
【００４６】
逆に、スイッチ部材１８で、第２吸込具１０が第１吸込具１１から取り外されたことを検知した時に、電動送風機の回転数を下げて吸引風を弱くすれば、第２吸込具１０での掃除を静かに行なうことができる。
【００４７】
このように、それぞれの状態に最適な吸引風で掃除する事ができる。
【産業上の利用可能性】
【００４８】
以上のように、本発明にかかる掃除機用吸込具及びこれを用いた電気掃除機は、第１吸込具に第２吸込具を着脱自在に接続して、それぞれの吸込具を用いた掃除動作が安定して行え、かつ第１吸込具に吸気風で回転する回転ブラシを設けているので軽量で集塵性能を向上させることができるので業務用掃除機などの吸込具にも適用できる。
【図面の簡単な説明】
【００４９】
【図１】本発明の実施の形態１における掃除機用吸込具を接続した電気掃除機の全体斜視図
【図２】（ａ）同掃除機用吸込具の平面図（ｂ）同掃除機用吸込具の側面図
【図３】（ａ）同掃除機用吸込具の第２吸込具の側面図（ｂ）同第２吸込具の下面図
【図４】同掃除機用吸込具の断面図
【図５】同第２吸込具の断面図
【図６】従来の掃除機用吸込具の構成を示す斜視図
【符号の説明】
【００５０】
３  掃除機用吸込具
７  掃除機本体
１０  第２吸込具
１１  第１吸込具
１５  下面吸気口
１６  先端吸気口（開口）
２０  回転ブラシ
２３  吸入口
２４  吸込室
２７  通気口
３１  ベルマウス体
【図１】
2005334209.tif 000003
【図２】
2005334209.tif 000004
【図３】
2005334209.tif 000005
【図４】
2005334209.tif 000006
【図５】
2005334209.tif 000007
【図６】
2005334209.tif 000008